(57)【要約】      （修正有）【課題】飲料用容器として使用した後（飲料後）に植物用容器として有効に利用することができる飲料用容器兼植物用容器を提供する。【解決手段】飲料後に植物栽培用の容器として利用できる飲料用容器兼植物用容器１において、生分解性素材からなる容器本体２の底３に１又は複数の貫通孔４を形成するとともに、貫通孔を被覆するシート５を容器本体の底に着脱可能に接着することにした。また、前記全ての貫通孔の開口面積よりもシートと底との接着面積を大きくすることにした。さらに、前記底に高台６を形成し、シートを高台よりも内側に接着するとともに、シートを高台の高さよりも薄くすることにした。【選択図】図１
0003234285.tif 000002
【実用新案登録請求の範囲】
【請求項１】
飲料後に植物栽培用の容器として利用できる飲料用容器兼植物用容器において、
生分解性素材からなる容器本体の底に１又は複数の貫通孔を形成するとともに、貫通孔を被覆するシートを容器本体の底に着脱可能に接着したことを特徴とする飲料用容器兼植物用容器。
【請求項２】
前記全ての貫通孔の開口面積よりもシートと底との接着面積を大きくしたことを特徴とする請求項１に記載の飲料用容器兼植物用容器。
【請求項３】
前記底に高台を形成し、シートを高台よりも内側に接着するとともに、シートを高台の高さよりも薄くしたことを特徴とする請求項１又は請求項２に記載の飲料用容器兼植物用容器。
【考案の詳細な説明】
【技術分野】
【０００１】
本考案は、飲料後に植物栽培用の容器として利用できる飲料用容器兼植物用容器に関するものである。
【背景技術】
【０００２】
テイクアウト用の飲料の容器などにおいては、プラスチック製や紙製の使い捨てできる飲料用容器が多用されている。
【０００３】
しかしながら、大量の廃棄物の焼却処分が社会問題となっており、飲料用容器についても、たとえば、特許文献１に開示されているように、飲料後にペン立てとして有効に利用することが考案されている。
【先行技術文献】
【特許文献】
【０００４】
【特許文献１】実開昭６２−３８１８９号公報
【考案の概要】
【考案が解決しようとする課題】
【０００５】
ところが、飲料用容器をペン立てとして利用しても、結局は廃棄物となって焼却処分されてしまっているのが現状である。
【課題を解決するための手段】
【０００６】
そこで、請求項１に係る本考案では、飲料後に植物栽培用の容器として利用できる飲料用容器兼植物用容器において、生分解性素材からなる容器本体の底に１又は複数の貫通孔を形成するとともに、貫通孔を被覆するシートを容器本体の底に着脱可能に接着することにした。
【０００７】
また、請求項２に係る本考案では、前記請求項１に係る本考案において、前記全ての貫通孔の開口面積よりもシートと底との接着面積を大きくすることにした。
【０００８】
また、請求項３に係る本考案では、前記請求項１又は請求項２に係る本考案において、前記底に高台を形成し、シートを高台よりも内側に接着するとともに、シートを高台の高さよりも薄くすることにした。
【考案の効果】
【０００９】
そして、本考案では、以下に記載する効果を奏する。
【００１０】
すなわち、本考案では、飲料後に植物栽培用の容器として利用できる飲料用容器兼植物用容器において、生分解性素材からなる容器本体の底に１又は複数の貫通孔を形成するとともに、貫通孔を被覆するシートを容器本体の底に着脱可能に接着することにしているために、飲料用容器として使用した後（飲料後）に植物用容器として有効に利用することができ、しかも、地中に埋設することで生分解されるので焼却処分を回避することができる。
【００１１】
特に、全ての貫通孔の開口面積よりもシートと底との接着面積を大きくすることにした場合には、飲料用容器として使用している際に不用意にシートが底から剥離してしまうのを抑制することができる。
【００１２】
また、底に高台を形成し、シートを高台よりも内側に接着するとともに、シートを高台の高さよりも薄くすることにした場合にも、飲料用容器として使用している際に不用意にシートが底から剥離してしまうのを抑制することができる。
【図面の簡単な説明】
【００１３】
【図１】飲料用容器兼植物用容器を飲料用容器として使用する際の正面断面図（ａ）、同底面図（ｂ）、飲料用容器兼植物用容器を植物用容器として使用する際の正面断面図（ｃ）、同底面図（ｄ）。
【図２】飲料用容器兼植物用容器の底面説明図。
【考案を実施するための形態】
【００１４】
以下に、本考案に係る飲料用容器兼植物用容器の具体的な構成について、図面を参照しながら説明する。
【００１５】
図１に示すように、飲料用容器兼植物用容器１は、容器本体２の底３に内外に貫通させた貫通孔４を形成するとともに、容器本体２の底３に貫通孔４を被覆するシート５を着脱可能に接着している。
【００１６】
容器本体２は、上方を開口させて、内部に飲料を注入することができるようになっている。この容器本体２は、生分解性素材で形成されている。
【００１７】
容器本体２の底３には、外周縁部に底３よりも下方へ向けて突出させた高台６が形成されている。この高台６は、容器本体２の底３に接着したシート５の厚み（底３から下方への突出量）よりも高くしており、高台６よりも内側部分の底３にシート５を接着している。
【００１８】
容器本体２の底３の貫通孔４には、貫通孔４と同一形状で底３と同一厚さの充填板７を挿入しており、シート５によって底３とともに接着されている。この貫通孔４は、図１及び図２（ａ）に示すように、底３に１個だけ形成する場合に限られず、図２（ｂ）又は（ｃ）に示すように、底３に複数個形成してもよい。
【００１９】
シート５には、上側全面に接着剤を付着させており、図２に示すように、全ての貫通孔４の開口面積（各貫通孔４の開口面積の合計）よりも底３とシート５との接着面積（接着剤が付着している面積（図２中にグレーで示す領域の面積））のほうが大きくなるようにしている。
【００２０】
飲料用容器兼植物用容器１は、以上に説明したように構成している。
【００２１】
そして、飲料用容器兼植物用容器１は、飲料用容器として使用する場合には、図１（ａ）及び（ｂ）に示すように、容器本体２の底３の貫通孔４に充填板７が挿入されるとともに貫通孔４をシート５で被覆した状態で、容器本体２の内部に飲料を注入して使用する。
【００２２】
一方、飲料後などに植物用容器として使用する場合には、図１（ｃ）及び（ｄ）に示すように、容器本体２の底３からシート５を充填板７とともに剥離した状態で、容器本体２の内部に土とともに植物を入れて使用する。
【００２３】
このようにして、飲料用容器兼植物用容器１は、飲料用の容器として使用した後に（飲料後に）植物栽培用の容器として利用することができる。
【００２４】
以上に説明したように、上記飲料用容器兼植物用容器１は、生分解性素材からなる容器本体２の底３に１又は複数の貫通孔４を形成するとともに、貫通孔４を被覆するシート５を容器本体２の底３に着脱可能に接着した構成となっている。
【００２５】
そのため、上記構成の飲料用容器兼植物用容器１では、飲料用容器として使用した後（飲料後）に植物用容器として有効に利用することができ、しかも、地中に埋設することで生分解されるので焼却処分を回避することができる。
【００２６】
また、上記飲料用容器兼植物用容器１は、全ての貫通孔４の開口面積よりもシート５と底３との接着面積を大きくした構成となっている。
【００２７】
そのため、上記構成の飲料用容器兼植物用容器１では、飲料用容器として使用している際に不用意にシート５が底３から剥離してしまうのを抑制することができる。
【００２８】
また、上記飲料用容器兼植物用容器１は、底３に高台６を形成し、シート５を高台６よりも内側に接着するとともに、シート５を高台６の高さよりも薄くした構成となっている。
【００２９】
そのため、上記構成の飲料用容器兼植物用容器１では、飲料用容器として使用している際に不用意にシート５が底３から剥離してしまうのを抑制することができる。
【００３０】
なお、飲料用容器兼植物用容器１では、充填板７を設けなくてもよいが、貫通孔４に充填板７を挿入することによって、飲料用容器として使用している際に飲料が漏出してしまうのを抑制することができる。
【符号の説明】
【００３１】
１  飲料用容器兼植物用容器          ２  容器本体
３  底                              ４  貫通孔
５  シート                          ６  高台
７  充填板
【図１】
0003234285.tif 000003
【図２】
0003234285.tif 000004